(57)【要約】【課題】本発明は自動的に蓋開けと回収ができる飲み物販売機を開示した。【解決手段】本体を含み、本体を含み、前記本体の中には前方に開口した展示チャンバが設けられ、前記展示チャンバの開口にはガラスが固定的に設けられ、前記展示チャンバの内壁には斜面支持板が四つ上下に配列し、且つ固定的に設けられ、前記斜面支持板には一層ずつ同じ飲み物が置かれていおり、前記展示チャンバの右側の前記本体の前端面の中には操作パネルが設けられ、前記操作パネルの下側には自動釣銭機が設けられ、前記自動釣銭機の下側には飲み物の瓶の回収口が設けられ、前記操作パネルで操作し、前記自動釣銭機がお金を受け取りまたはお釣りを吐き出し、前記回収口の中に飲み物の瓶を投入した後に、回収費用を使用者に払い出し、直接に自動釣銭機から現金を吐き出すことができる。【選択図】図１
2020198063.tif 000002
【特許請求の範囲】
【請求項１】
正面視で、本体を含み、前記本体の中には前方に開口した展示チャンバが設けられ、前記展示チャンバの開口にはガラスが固定的に設けられ、前記展示チャンバの内壁には斜面支持板が四つ上下に配列し、且つ固定的に設けられ、前記斜面支持板には一層ずつ同じ飲み物が置かれていおり、前記展示チャンバの右側の前記本体の前端面の中には操作パネルが設けられ、前記操作パネルの下側には自動釣銭機が設けられ、前記自動釣銭機はお金を受け取りまたは吐き出すことができ、前記自動釣銭機の下側には飲み物の瓶の回収口が設けられ、前記操作パネルで操作し、前記自動釣銭機がお金を受け取りまたはお釣りを吐き出し、前記回収口の中に飲み物の瓶を投入した後に、回収費用を使用者に払い出し、直接に自動釣銭機から現金を吐き出すことができ、使用者がアプリで飲み物を購入した場合は飲み物を購入したアカウントに回収費用を振り込み、前記展示チャンバの後側には昇降装置が設けられ、前記昇降装置の中には取り装置が設けられ、前記昇降装置は四層の前記斜面支持板に置かれた飲み物を選択でき、前記取り装置が飲み物を斜面支持板の中から取り出してきつく挟み、且つ蓋を取ることができ、前記展示チャンバの下側には送り装置が設けられ、前記送り装置は飲み物を送り出すことができ、前記送り装置の下側には回収装置が設けられ、取られた蓋が前記回収装置の中に落ち、前記回収口から投入された飲み物の瓶も前記回収装置により集められることを特徴とする自動的に蓋開けと回収ができる飲み物販売機。
【請求項２】
前記昇降装置は前記展示チャンバの後側に設けられた昇降チャンバを含み、前記昇降チャンバの後側には制御チャンバが設けられ、前記制御チャンバの下壁の中には制御モーターが固定的に設けられ、前記制御モーターの上端には昇降ネジロッドが伝動できるように連結され、前記制御チャンバの中には前記昇降チャンバの中に伸びた昇降板がスライドできるように設けられ、前記昇降板が前記昇降ネジロッドにねじ山によって連結されていることを特徴とする請求項１に記載の自動的に蓋開けと回収ができる飲み物販売機。
【請求項３】
前記取り装置は前記昇降板の中に設けられた移動チャンバを含み、前記移動チャンバが上方へ開口しており、前記移動チャンバの後壁の中には伸縮モーターが固定的に設けられ、前記伸縮モーターの前端には伸縮ネジロッドが伝動できるように連結され、前記移動チャンバの中には前記伸縮ネジロッドにねじ山によって連結されたガイドスライドブロックがスライドできるように設けられ、前記昇降板の上壁には前記ガイドスライドブロックの上端に固定的に連結された支持板がスライドできるように設けられ、前記支持板の中の前端には飲み物が置かれた定位チャンバが上下に貫通するように設けられ、前記移動チャンバの左右両壁にはヒンジチャンバが対称的に、且つ連通するように設けられ、前記ガイドスライドブロックの左右両端には伸縮ロッドが対称的に、且つヒンジによって連結され、前記ヒンジチャンバの前側には上方に開口した第二移動チャンバが連通するように設けられ、前記第二移動チャンバの中にはスライドロッドがスライドできるように設けられ、前記スライドロッドの後端にはヒンジロッドがヒンジによって連結され、前記ヒンジロッドの中には後方に開口した伸縮チャンバが設けられ、前記伸縮ロッドの前端が前記伸縮チャンバの中に伸びており、前記スライドロッドの上端には半円リング状の挟み板が固定的に設けられていることを特徴とする請求項１に記載の自動的に蓋開けと回収ができる飲み物販売機。
【請求項４】
前記展示チャンバの後壁のうち一つずつの前記斜面支持板の後端の上側にあるところには取り出し口が四つ連通するように設けられ、前記取り出し口が前記昇降チャンバの前壁に連通しており、一つの側には一本の飲み物だけが前記取り出し口の中に滑り入り、前記取り出し口の下壁には支持板チャンバが連通するように設けられ、前記取り出し口の左右両壁には仕切り板チャンバが対称的に、且つ連通するように設けられ、前記仕切り板チャンバの中には仕切り板がスライドできるように設けられ、前記仕切り板チャンバの下壁には連動チャンバが連通するように設けられ、前記連動チャンバの中には前記仕切り板の下端に固定的に連結された連動ブロックがスライドできるように設けられ、前記連動ブロックのうち対称中心から離れた一端と前記連動チャンバの内壁との間には復帰バネが固定的に連結され、前記連動ブロックの相対した一端には前記支持板チャンバの中に伸びた押し動かしロッドが固定的に設けられていることを特徴とする請求項１に記載の自動的に蓋開けと回収ができる飲み物販売機。
【請求項５】
前記送り装置は前記展示チャンバの下側に設けられた送りチャンバを含み、前記送りチャンバが前方へ開口しており、且つ前記昇降チャンバの前壁に連通しており、前記送りチャンバの下壁にはスライドレールが連通するように設けられ、前記スライドレールの前後壁の間にはガイドスライドロッドが固定的に設けられ、前記スライドレールの中には前記ガイドスライドロッドにスライドできるように連結された送りブロックがスライドできるように設けられ、前記送りブロックの前端と前記スライドレールの前壁との間には伸縮バネが固定的に連結され、前記送りブロックの上端には支持盤が固定的に設けられ、前記支持盤の中には上方へ開口した支持チャンバが設けられていることを特徴とする請求項１に記載の自動的に蓋開けと回収ができる飲み物販売機。
【請求項６】
前記送りチャンバの上壁のうち開口のところには仕切り簾が固定的に設けられていることを特徴とする請求項１に記載の自動的に蓋開けと回収ができる飲み物販売機。
【請求項７】
前記回収装置は前記送りチャンバの下側に設けられた回収チャンバを含み、前記回収チャンバの中には濾過板が固定的に設けられ、前記回収口が前記回収チャンバの上壁に連通しており、前記回収口のうち前記開口のところの内壁の中には検知器が固定的に設けられ、前記検知器は回収した飲み物の瓶の種類と数量を検知でき、飲み物の瓶が前記回収チャンバの中に入った後、残された液体が前記濾過板の下方に濾過されることを特徴とする請求項１に記載の自動的に蓋開けと回収ができる飲み物販売機。
【請求項８】
前記昇降チャンバの上壁には蓋開けチャンバが設けられ、前記蓋開けチャンバと前記昇降チャンバとの間には蓋開け器が固定的に設けられ、前記蓋開け器の中には連通口が上下に貫通するように設けられ、前記連通口の内壁が一定の弾性を持っており、飲み物の瓶の口が下から上へ前記蓋開けチャンバの中に伸びることができ、飲み物の瓶を下へ引き、蓋が前記蓋開け器の上端と当接し、飲み物の瓶を速く下へ引き動かし、蓋が蓋開けチャンバの中に残り、飲み物の瓶が改めて前記昇降チャンバの中に戻り、前記蓋開けチャンバの後壁には落ち通路が連通するように設けられ、前記落ち通路が前記回収チャンバの上壁に連通しており、瓶の蓋が前記落ち通路を経由して前記回収チャンバの中に落ちて回収されることができることを特徴とする請求項１に記載の自動的に蓋開けと回収ができる飲み物販売機。
【発明の詳細な説明】
【技術分野】
【０００１】
本発明は自動販売技術分野を取り上げて、具体的には自動的に蓋開けと回収ができる飲み物販売機である。
【背景技術】
【０００２】
伝統的な飲み物販売機は飲み物を落とす方法ことで飲み物を出すが、炭酸飲料の場合は、落ちた後に大量な気体が出るため、口当たりに影響し、また、飲み物を飲むには自分で蓋を開ける必要がある。現有の飲み物販売機は缶飲料とボトル飲料とを販売し、缶やボトルに対して回収は行われているが、回収価格が低いため、人々の回収の意識が強くなく、これによって汚染を引き起こす場合が多く、対してガラス瓶を飲み物の容器として使えば、よりよく回収し利用でき、汚染も引き起こしにくく、従って、自動的に蓋開けと回収ができる飲み物販売機が必要とされる。
【先行技術文献】
【特許文献】
【０００３】
【特許文献１】中国特許出願公開第１０８８０６０９０号明細書
【発明の概要】
【発明が解決しようとする課題】
【０００４】
本発明の目的は自動的に蓋開けと回収ができる飲み物販売機を提供し、それは上記の現在の技術中の問題を解決できる。
【課題を解決するための手段】
【０００５】
本発明の自動的に蓋開けと回収ができる飲み物販売機は、本体を含み、前記本体の中には前方に開口した展示チャンバが設けられ、前記展示チャンバの開口にはガラスが固定的に設けられ、前記展示チャンバの内壁には斜面支持板が四つ上下に配列し、且つ固定的に設けられ、前記斜面支持板には一層ずつ同じ飲み物が置かれていおり、前記展示チャンバの右側の前記本体の前端面の中には操作パネルが設けられ、前記操作パネルの下側には自動釣銭機が設けられ、前記自動釣銭機はお金を受け取りまたは吐き出すことができ、前記自動釣銭機の下側には飲み物の瓶の回収口が設けられ、前記操作パネルで操作し、前記自動釣銭機がお金を受け取りまたはお釣りを吐き出し、前記回収口の中に飲み物の瓶を投入した後に、回収費用を使用者に払い出し、直接に自動釣銭機から現金を吐き出すことができ、使用者がアプリで飲み物を購入した場合は飲み物を購入したアカウントに回収費用を振り込み、前記展示チャンバの後側には昇降装置が設けられ、前記昇降装置の中には取り装置が設けられ、前記昇降装置は四層の前記斜面支持板に置かれた飲み物を選択でき、前記取り装置が飲み物を斜面支持板の中から取り出してきつく挟み、且つ蓋を取ることができ、前記展示チャンバの下側には送り装置が設けられ、前記送り装置は飲み物を送り出すことができ、前記送り装置の下側には回収装置が設けられ、取られた蓋が前記回収装置の中に落ち、前記回収口から投入された飲み物の瓶も前記回収装置により集められる。
【０００６】
更の技術プラン、前記昇降装置は前記展示チャンバの後側に設けられた昇降チャンバを含み、前記昇降チャンバの後側には制御チャンバが設けられ、前記制御チャンバの下壁の中には制御モーターが固定的に設けられ、前記制御モーターの上端には昇降ネジロッドが伝動できるように連結され、前記制御チャンバの中には前記昇降チャンバの中に伸びた昇降板がスライドできるように設けられ、前記昇降板が前記昇降ネジロッドにねじ山によって連結されている。
【０００７】
更の技術プラン、前記取り装置は前記昇降板の中に設けられた移動チャンバを含み、前記移動チャンバが上方へ開口しており、前記移動チャンバの後壁の中には伸縮モーターが固定的に設けられ、前記伸縮モーターの前端には伸縮ネジロッドが伝動できるように連結され、前記移動チャンバの中には前記伸縮ネジロッドにねじ山によって連結されたガイドスライドブロックがスライドできるように設けられ、前記昇降板の上壁には前記ガイドスライドブロックの上端に固定的に連結された支持板がスライドできるように設けられ、前記支持板の中の前端には飲み物が置かれた定位チャンバが上下に貫通するように設けられ、前記移動チャンバの左右両壁にはヒンジチャンバが対称的に、且つ連通するように設けられ、前記ガイドスライドブロックの左右両端には伸縮ロッドが対称的に、且つヒンジによって連結され、前記ヒンジチャンバの前側には上方に開口した第二移動チャンバが連通するように設けられ、前記第二移動チャンバの中にはスライドロッドがスライドできるように設けられ、前記スライドロッドの後端にはヒンジロッドがヒンジによって連結され、前記ヒンジロッドの中には後方に開口した伸縮チャンバが設けられ、前記伸縮ロッドの前端が前記伸縮チャンバの中に伸びており、前記スライドロッドの上端には半円リング状の挟み板が固定的に設けられている。
【０００８】
更の技術プラン、前記展示チャンバの後壁のうち一つずつの前記斜面支持板の後端の上側にあるところには取り出し口が四つ連通するように設けられ、前記取り出し口が前記昇降チャンバの前壁に連通しており、一つの側には一本の飲み物だけが前記取り出し口の中に滑り入り、前記取り出し口の下壁には支持板チャンバが連通するように設けられ、前記取り出し口の左右両壁には仕切り板チャンバが対称的に、且つ連通するように設けられ、前記仕切り板チャンバの中には仕切り板がスライドできるように設けられ、前記仕切り板チャンバの下壁には連動チャンバが連通するように設けられ、前記連動チャンバの中には前記仕切り板の下端に固定的に連結された連動ブロックがスライドできるように設けられ、前記連動ブロックのうち対称中心から離れた一端と前記連動チャンバの内壁との間には復帰バネが固定的に連結され、前記連動ブロックの相対した一端には前記支持板チャンバの中に伸びた押し動かしロッドが固定的に設けられている。
【０００９】
更の技術プラン、前記送り装置は前記展示チャンバの下側に設けられた送りチャンバを含み、前記送りチャンバが前方へ開口しており、且つ前記昇降チャンバの前壁に連通しており、前記送りチャンバの下壁にはスライドレールが連通するように設けられ、前記スライドレールの前後壁の間にはガイドスライドロッドが固定的に設けられ、前記スライドレールの中には前記ガイドスライドロッドにスライドできるように連結された送りブロックがスライドできるように設けられ、前記送りブロックの前端と前記スライドレールの前壁との間には伸縮バネが固定的に連結され、前記送りブロックの上端には支持盤が固定的に設けられ、前記支持盤の中には上方へ開口した支持チャンバが設けられている。
【００１０】
更の技術プラン、前記送りチャンバの上壁のうち開口のところには仕切り簾が固定的に設けられている。
【００１１】
更の技術プラン、前記回収装置は前記送りチャンバの下側に設けられた回収チャンバを含み、前記回収チャンバの中には濾過板が固定的に設けられ、前記回収口が前記回収チャンバの上壁に連通しており、前記回収口のうち前記開口のところの内壁の中には検知器が固定的に設けられ、前記検知器は回収した飲み物の瓶の種類と数量を検知でき、飲み物の瓶が前記回収チャンバの中に入った後、残された液体が前記濾過板の下方に濾過される。
【００１２】
更の技術プラン、前記昇降チャンバの上壁には蓋開けチャンバが設けられ、前記蓋開けチャンバと前記昇降チャンバとの間には蓋開け器が固定的に設けられ、前記蓋開け器の中には連通口が上下に貫通するように設けられ、前記連通口の内壁が一定の弾性を持っており、飲み物の瓶の口が下から上へ前記蓋開けチャンバの中に伸びることができ、飲み物の瓶を下へ引き、蓋が前記蓋開け器の上端と当接し、飲み物の瓶を速く下へ引き動かし、蓋が蓋開けチャンバの中に残り、飲み物の瓶が改めて前記昇降チャンバの中に戻り、前記蓋開けチャンバの後壁には落ち通路が連通するように設けられ、前記落ち通路が前記回収チャンバの上壁に連通しており、瓶の蓋が前記落ち通路を経由して前記回収チャンバの中に落ちて回収されることができる。
【発明の効果】
【００１３】
本発明は構造が簡単で、操作が便利であり、安定的な取り方で飲み物を運ぶことにより、飲み物が激しく揺れることを防ぎ、炭酸飲料に大量の気体が出ることを防ぎ、同時に自動的に飲み物の蓋を開けることができ、消費者が手動で蓋を開ける必要がなく、より便利であり、同時に本装置は飲み物の瓶と蓋を回収でき、飲み物の瓶の回収費用を支払う方法で人々の回収の意識を高め、環境に優しい。
【図面の簡単な説明】
【００１４】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の自動的に蓋開けと回収ができる飲み物販売機の内部全体構成略図
【図２】図２は図１のＡ―Ａ方向の構成略図
【図３】図３は図２のＢの拡大略図
【図４】図４は図３のＣ―Ｃ方向の構成略図
【図５】図５は図４のＤ―Ｄ方向の構成略図
【図６】図６は図３のＥ―Ｅ方向の構成略図
【図７】図７は図２のＦ―Ｆ方向の構成略図
【図８】図８は図１のＧ―Ｇ方向の構成略図
【発明を実施するための形態】
【００１６】
図１〜８を参照し、本発明の自動的に蓋開けと回収ができる飲み物販売機は、本体１１を含み、前記本体１１の中には前方に開口した展示チャンバ１２が設けられ、前記展示チャンバ１２の開口にはガラス１３が固定的に設けられ、前記展示チャンバ１２の内壁には斜面支持板１４が四つ上下に配列し、且つ固定的に設けられ、前記斜面支持板１４には一層ずつ同じ飲み物が置かれていおり、前記展示チャンバ１２の右側の前記本体１１の前端面の中には操作パネル１５が設けられ、前記操作パネル１５の下側には自動釣銭機１６が設けられ、前記自動釣銭機１６はお金を受け取りまたは吐き出すことができ、前記自動釣銭機１６の下側には飲み物の瓶の回収口１７が設けられ、前記操作パネル１５で操作し、前記自動釣銭機１６がお金を受け取りまたはお釣りを吐き出し、前記回収口１７の中に飲み物の瓶を投入した後に、回収費用を使用者に払い出し、直接に自動釣銭機１６から現金を吐き出すことができ、使用者がアプリで飲み物を購入した場合は飲み物を購入したアカウントに回収費用を振り込み、前記展示チャンバ１２の後側には昇降装置１０１が設けられ、前記昇降装置１０１の中には取り装置１０２が設けられ、前記昇降装置１０１は四層の前記斜面支持板１４に置かれた飲み物を選択でき、前記取り装置１０２が飲み物を斜面支持板１４の中から取り出してきつく挟み、且つ蓋を取ることができ、前記展示チャンバ１２の下側には送り装置１０３が設けられ、前記送り装置１０３は飲み物を送り出すことができ、前記送り装置１０３の下側には回収装置１０４が設けられ、取られた蓋が前記回収装置１０４の中に落ち、前記回収口１７から投入された飲み物の瓶も前記回収装置１０４により集められる。
【００１７】
有益に、前記昇降装置１０１は前記展示チャンバ１２の後側に設けられた昇降チャンバ１８を含み、前記昇降チャンバ１８の後側には制御チャンバ１９が設けられ、前記制御チャンバ１９の下壁の中には制御モーター２０が固定的に設けられ、前記制御モーター２０の上端には昇降ネジロッド２１が伝動できるように連結され、前記制御チャンバ１９の中には前記昇降チャンバ１８の中に伸びた昇降板２２がスライドできるように設けられ、前記昇降板２２が前記昇降ネジロッド２１にねじ山によって連結されている。
【００１８】
有益に、前記取り装置１０２は前記昇降板２２の中に設けられた移動チャンバ２３を含み、前記移動チャンバ２３が上方へ開口しており、前記移動チャンバ２３の後壁の中には伸縮モーター２４が固定的に設けられ、前記伸縮モーター２４の前端には伸縮ネジロッド２５が伝動できるように連結され、前記移動チャンバ２３の中には前記伸縮ネジロッド２５にねじ山によって連結されたガイドスライドブロック２６がスライドできるように設けられ、前記昇降板２２の上壁には前記ガイドスライドブロック２６の上端に固定的に連結された支持板２７がスライドできるように設けられ、前記支持板２７の中の前端には飲み物が置かれた定位チャンバ２８が上下に貫通するように設けられ、前記移動チャンバ２３の左右両壁にはヒンジチャンバ２９が対称的に、且つ連通するように設けられ、前記ガイドスライドブロック２６の左右両端には伸縮ロッド３０が対称的に、且つヒンジによって連結され、前記ヒンジチャンバ２９の前側には上方に開口した第二移動チャンバ３１が連通するように設けられ、前記第二移動チャンバ３１の中にはスライドロッド３２がスライドできるように設けられ、前記スライドロッド３２の後端にはヒンジロッド３３がヒンジによって連結され、前記ヒンジロッド３３の中には後方に開口した伸縮チャンバ３４が設けられ、前記伸縮ロッド３０の前端が前記伸縮チャンバ３４の中に伸びており、前記スライドロッド３２の上端には半円リング状の挟み板３５が固定的に設けられている。
【００１９】
有益に、前記展示チャンバ１２の後壁のうち一つずつの前記斜面支持板１４の後端の上側にあるところには取り出し口５８が四つ連通するように設けられ、前記取り出し口５８が前記昇降チャンバ１８の前壁に連通しており、一つの側には一本の飲み物だけが前記取り出し口５８の中に滑り入り、前記取り出し口５８の下壁には支持板チャンバ３６が連通するように設けられ、前記取り出し口５８の左右両壁には仕切り板チャンバ３７が対称的に、且つ連通するように設けられ、前記仕切り板チャンバ３７の中には仕切り板３８がスライドできるように設けられ、前記仕切り板チャンバ３７の下壁には連動チャンバ３９が連通するように設けられ、前記連動チャンバ３９の中には前記仕切り板３８の下端に固定的に連結された連動ブロック４０がスライドできるように設けられ、前記連動ブロック４０のうち対称中心から離れた一端と前記連動チャンバ３９の内壁との間には復帰バネ４１が固定的に連結され、前記連動ブロック４０の相対した一端には前記支持板チャンバ３６の中に伸びた押し動かしロッド４２が固定的に設けられている。
【００２０】
有益に、前記送り装置１０３は前記展示チャンバ１２の下側に設けられた送りチャンバ４３を含み、前記送りチャンバ４３が前方へ開口しており、且つ前記昇降チャンバ１８の前壁に連通しており、前記送りチャンバ４３の下壁にはスライドレール４４が連通するように設けられ、前記スライドレール４４の前後壁の間にはガイドスライドロッド４５が固定的に設けられ、前記スライドレール４４の中には前記ガイドスライドロッド４５にスライドできるように連結された送りブロック４６がスライドできるように設けられ、前記送りブロック４６の前端と前記スライドレール４４の前壁との間には伸縮バネ４７が固定的に連結され、前記送りブロック４６の上端には支持盤４８が固定的に設けられ、前記支持盤４８の中には上方へ開口した支持チャンバ４９が設けられている。
【００２１】
有益に、前記送りチャンバ４３の上壁のうち開口のところには仕切り簾５０が固定的に設けられている。
【００２２】
有益に、前記回収装置１０４は前記送りチャンバ４３の下側に設けられた回収チャンバ５５を含み、前記回収チャンバ５５の中には濾過板５６が固定的に設けられ、前記回収口１７が前記回収チャンバ５５の上壁に連通しており、前記回収口１７のうち前記開口のところの内壁の中には検知器５７が固定的に設けられ、前記検知器５７は回収した飲み物の瓶の種類と数量を検知でき、飲み物の瓶が前記回収チャンバ５５の中に入った後、残された液体が前記濾過板５６の下方に濾過される。
【００２３】
有益に、前記昇降チャンバ１８の上壁には蓋開けチャンバ５１が設けられ、前記蓋開けチャンバ５１と前記昇降チャンバ１８との間には蓋開け器５２が固定的に設けられ、前記蓋開け器５２の中には連通口５３が上下に貫通するように設けられ、前記連通口５３の内壁が一定の弾性を持っており、飲み物の瓶の口が下から上へ前記蓋開けチャンバ５１の中に伸びることができ、飲み物の瓶を下へ引き、蓋が前記蓋開け器５２の上端と当接し、飲み物の瓶を速く下へ引き動かし、蓋が蓋開けチャンバ５１の中に残り、飲み物の瓶が改めて前記昇降チャンバ１８の中に戻り、前記蓋開けチャンバ５１の後壁には落ち通路５４が連通するように設けられ、前記落ち通路５４が前記回収チャンバ５５の上壁に連通しており、瓶の蓋が前記落ち通路５４を経由して前記回収チャンバ５５の中に落ちて回収されることができる。
【００２４】
初期状態に、支持盤４８が後の限界位置にあり、仕切り板３８が取り出し口５８を閉じ、支持板２７が完全に昇降チャンバ１８の中に位置している。
【００２５】
飲み物を購入するとき、操作パネル１５で飲み物と支払い方法とを選び、前記自動釣銭機１６によって現金で支払うことができ、またアプリで支払うこともでき、飲み物を選んで支払った後に、制御モーター２０が作動し昇降ネジロッド２１を回転連動させ、ねじ山の連結により昇降板２２を選んだ飲み物の置かれた斜面支持板１４の後方まで昇降連動させ、このとき伸縮モーター２４が作動し伸縮ネジロッド２５を回転連動させ、ねじ山の連結によってガイドスライドブロック２６を前方へ移動連動させ、且つ支持板２７を支持板チャンバ３６の中に入るまで前方へ移動連動させ、このとき伸縮ロッド３０とヒンジロッド３３とによってスライドロッド３２を互いに離れさせ、これによって挟み板３５を互いに離れさせ、支持板チャンバ３６と押し動かしロッド４２とが当接した後に押し動かしロッド４２を押し動かして互いに離れさせ、連動ブロック４０により仕切り板３８を互いに離れさせ、且つ取り出し口５８を開け、このとき取り出し口５８の中の飲み物が定位チャンバ２８の中に落ち、伸縮モーター２４が反転し支持板２７を後方へ移動連動させ、定位チャンバ２８の中の飲み物が同時に後方へ移動し、支持板２７が初期位置に戻り、このとき挟み板３５も初期状態に戻り飲み物をきつく挟む。
【００２６】
蓋を開けるとき、制御モーター２０が作動し昇降板２２を上の限界位置に辿るまで上昇連動させ、このとき瓶の蓋が蓋開けチャンバ５１の中に移動し、制御モーター２０を速く反転させ、且つ飲み物の瓶を速く下方へ引き、前記蓋開け器５２によって蓋を開け、そして安定に送りチャンバ４３の後側まで運び、このとき伸縮モーター２４が引き続きに作動し支持板２７を前方へ移動連動させ、定位チャンバ２８が支持チャンバ４９の上方と正対しているとき、飲み物の瓶が支持チャンバ４９の中に滑り落ち、重力によって支持盤４８が前方へスライドし、このとき仕切り簾５０を開けて取ることができる。
【００２７】
本発明の有益効果は：本発明は構造が簡単で、操作が便利であり、安定的な取り方で飲み物を運ぶことにより、飲み物が激しく揺れることを防ぎ、炭酸飲料に大量の気体が出ることを防ぎ、同時に自動的に飲み物の蓋を開けることができ、消費者が手動で蓋を開ける必要がなく、より便利であり、同時に本装置は飲み物の瓶と蓋を回収でき、飲み物の瓶の回収費用を支払う方法で人々の回収の意識を高め、環境に優しい。
【００２８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020198063.tif 000003
【図２】
2020198063.tif 000004
【図３】
2020198063.tif 000005
【図４】
2020198063.tif 000006
【図５】
2020198063.tif 000007
【図６】
2020198063.tif 000008
【図７】
2020198063.tif 000009
【図８】
2020198063.tif 000010
【手続補正書】
【提出日】令和1年11月4日(2019.11.4)
【手続補正１】
【補正対象書類名】特許請求の範囲
【補正対象項目名】全文
【補正方法】変更
【補正の内容】
【特許請求の範囲】
【請求項１】
正面視で、本体を含み、前記本体の中には前方に開口した展示チャンバが設けられ、前記展示チャンバの開口にはガラスが固定的に設けられ、前記展示チャンバの内壁には斜面支持板が四つ上下に配列し、且つ固定的に設けられ、前記斜面支持板には一層ずつ同じ飲み物が置かれており、前記展示チャンバの右側の前記本体の前端面の中には操作パネルが設けられ、前記操作パネルの下側には自動釣銭機が設けられ、前記自動釣銭機はお金を受け取りまたは吐き出すことができ、前記自動釣銭機の下側には飲み物の瓶の回収口が設けられ、前記操作パネルで操作し、前記自動釣銭機がお金を受け取りまたはお釣りを吐き出し、前記回収口の中に飲み物の瓶を投入した後に、回収費用を使用者に払い出し、直接に自動釣銭機から現金を吐き出すことができ、使用者がアプリで飲み物を購入した場合は飲み物を購入したアカウントに回収費用を振り込み、前記展示チャンバの後側には昇降装置が設けられ、前記昇降装置の中には取り装置が設けられ、前記昇降装置は四層の前記斜面支持板に置かれた飲み物を選択でき、前記取り装置が飲み物を斜面支持板の中から取り出してきつく挟み、且つ蓋を取ることができ、前記展示チャンバの下側には送り装置が設けられ、前記送り装置は飲み物を送り出すことができ、前記送り装置の下側には回収装置が設けられ、取られた蓋が前記回収装置の中に落ち、前記回収口から投入された飲み物の瓶も前記回収装置により集められることを特徴とする自動的に蓋開けと回収ができる飲み物販売機。
【請求項２】
前記昇降装置は前記展示チャンバの後側に設けられた昇降チャンバを含み、前記昇降チャンバの後側には制御チャンバが設けられ、前記制御チャンバの下壁の中には制御モーターが固定的に設けられ、前記制御モーターの上端には昇降ネジロッドが伝動できるように連結され、前記制御チャンバの中には前記昇降チャンバの中に伸びた昇降板がスライドできるように設けられ、前記昇降板が前記昇降ネジロッドにねじ山によって連結されていることを特徴とする請求項１に記載の自動的に蓋開けと回収ができる飲み物販売機。
【請求項３】
前記取り装置は前記昇降板の中に設けられた移動チャンバを含み、前記移動チャンバが上方へ開口しており、前記移動チャンバの後壁の中には伸縮モーターが固定的に設けられ、前記伸縮モーターの前端には伸縮ネジロッドが伝動できるように連結され、前記移動チャンバの中には前記伸縮ネジロッドにねじ山によって連結されたガイドスライドブロックがスライドできるように設けられ、前記昇降板の上壁には前記ガイドスライドブロックの上端に固定的に連結された支持板がスライドできるように設けられ、前記支持板の中の前端には飲み物が置かれた定位チャンバが上下に貫通するように設けられ、前記移動チャンバの左右両壁にはヒンジチャンバが対称的に、且つ連通するように設けられ、前記ガイドスライドブロックの左右両端には伸縮ロッドが対称的に、且つヒンジによって連結され、前記ヒンジチャンバの前側には上方に開口した第二移動チャンバが連通するように設けられ、前記第二移動チャンバの中にはスライドロッドがスライドできるように設けられ、前記スライドロッドの後端にはヒンジロッドがヒンジによって連結され、前記ヒンジロッドの中には後方に開口した伸縮チャンバが設けられ、前記伸縮ロッドの前端が前記伸縮チャンバの中に伸びており、前記スライドロッドの上端には半円リング状の挟み板が固定的に設けられていることを特徴とする請求項２に記載の自動的に蓋開けと回収ができる飲み物販売機。
【請求項４】
前記展示チャンバの後壁のうち一つずつの前記斜面支持板の後端の上側にあるところには取り出し口が四つ連通するように設けられ、前記取り出し口が前記昇降チャンバの前壁に連通しており、一つの側には一本の飲み物だけが前記取り出し口の中に滑り入り、前記取り出し口の下壁には支持板チャンバが連通するように設けられ、前記取り出し口の左右両壁には仕切り板チャンバが対称的に、且つ連通するように設けられ、前記仕切り板チャンバの中には仕切り板がスライドできるように設けられ、前記仕切り板チャンバの下壁には連動チャンバが連通するように設けられ、前記連動チャンバの中には前記仕切り板の下端に固定的に連結された連動ブロックがスライドできるように設けられ、前記連動ブロックのうち対称中心から離れた一端と前記連動チャンバの内壁との間には復帰バネが固定的に連結され、前記連動ブロックの相対した一端には前記支持板チャンバの中に伸びた押し動かしロッドが固定的に設けられていることを特徴とする請求項３に記載の自動的に蓋開けと回収ができる飲み物販売機。
【請求項５】
前記送り装置は前記展示チャンバの下側に設けられた送りチャンバを含み、前記送りチャンバが前方へ開口しており、且つ前記昇降チャンバの前壁に連通しており、前記送りチャンバの下壁にはスライドレールが連通するように設けられ、前記スライドレールの前後壁の間にはガイドスライドロッドが固定的に設けられ、前記スライドレールの中には前記ガイドスライドロッドにスライドできるように連結された送りブロックがスライドできるように設けられ、前記送りブロックの前端と前記スライドレールの前壁との間には伸縮バネが固定的に連結され、前記送りブロックの上端には支持盤が固定的に設けられ、前記支持盤の中には上方へ開口した支持チャンバが設けられていることを特徴とする請求項４に記載の自動的に蓋開けと回収ができる飲み物販売機。
【請求項６】
前記送りチャンバの上壁のうち開口のところには仕切り簾が固定的に設けられていることを特徴とする請求項５に記載の自動的に蓋開けと回収ができる飲み物販売機。
【請求項７】
前記回収装置は前記送りチャンバの下側に設けられた回収チャンバを含み、前記回収チャンバの中には濾過板が固定的に設けられ、前記回収口が前記回収チャンバの上壁に連通しており、前記回収口のうち前記開口のところの内壁の中には検知器が固定的に設けられ、前記検知器は回収した飲み物の瓶の種類と数量を検知でき、飲み物の瓶が前記回収チャンバの中に入った後、残された液体が前記濾過板の下方に濾過されることを特徴とする請求項６に記載の自動的に蓋開けと回収ができる飲み物販売機。
【請求項８】
前記昇降チャンバの上壁には蓋開けチャンバが設けられ、前記蓋開けチャンバと前記昇降チャンバとの間には蓋開け器が固定的に設けられ、前記蓋開け器の中には連通口が上下に貫通するように設けられ、前記連通口の内壁が一定の弾性を持っており、飲み物の瓶の口が下から上へ前記蓋開けチャンバの中に伸びることができ、飲み物の瓶を下へ引き、蓋が前記蓋開け器の上端と当接し、飲み物の瓶を速く下へ引き動かし、蓋が蓋開けチャンバの中に残り、飲み物の瓶が改めて前記昇降チャンバの中に戻り、前記蓋開けチャンバの後壁には落ち通路が連通するように設けられ、前記落ち通路が前記回収チャンバの上壁に連通しており、瓶の蓋が前記落ち通路を経由して前記回収チャンバの中に落ちて回収されることができることを特徴とする請求項７に記載の自動的に蓋開けと回収ができる飲み物販売機。